(57)【要約】  ユーザの肩の上方で位置決めするための支持部分２であって、使用中、肩の肩関節の前方及び後方にそれぞれ位置決めされるように形成された前方部分３及び後方部分４のある、支持部分２と、上記前方域及び後方域に連結し、使用中、ユーザの胸の周りを延びる胸バンド５と、ユーザの肩に関連する腕の周りに装着するための腕カフと、支持部分と腕カフを連結するための引っ張りバンドとを含む肩装具１。腕カフは、上記下腕の周りで位置決めするための下腕カフ６であり、支持部分２は、上記腕の上腕への位置決めのための上腕カフ７を含み、上記引っ張りバンド８は、上腕カフ７と下腕カフ６を結合する。
2010534507.tif 000002
【特許請求の範囲】
【請求項１】
ユーザの肩の上方で位置決めするための支持部分（２）であって、使用中、前記肩の肩関節の前方及び後方にそれぞれ位置決めされるように形成された前方部分（３）及び後方部分（４）のある、支持部分（２）と、
前記前方域及び後方域に連結し、使用中、ユーザの胸の周りを延びる胸バンド（５）と、
前記ユーザの前記肩に関連する腕の周りに装着するための腕カフと、
前記支持部分と前記腕カフを連結するための引っ張りバンドと、
前記腕の上腕の周りに装着するための上腕カフ（７）とを含み、
前記腕カフが、下腕の周りに位置決めするための下腕カフ（６）であり、
前記引っ張りバンド（８）が、前記上腕カフ（７）と前記下腕カフ（６）を連結するように配置されている、肩装具（１）において、
前記支持部分（２）が、前記上腕カフ（７）を含み、
前記支持部分（２）及び前記上腕カフ（７）が、一体ユニットを形成し、
少なくとも１つの調整可能な引っ張りバンド（９、９’）が、前記支持部分（２）と前記上腕カフ（７）の間に配置されることを特徴とする、肩装具（１）。
【請求項２】
胸バンド（５）、下腕カフ（６）、上腕カフ（７）、引っ張りバンド（８）からなる群からの少なくともいずれかが、締め付け式に調整可能であることを特徴とする、請求項１に記載の肩装具。
【請求項３】
各々の締め付け可能な個々の要素（５、６、７、８）には、ベルクロ（Ｃ）ファスナー手段を備えたバンド、バックルを備えたバンドからなる群からのいずれかが設けられることを特徴とする、請求項２に記載の肩装具。
【請求項４】
前記引っ張りバンド（８）が、２つであり、前記前方域（３）及び後方域（４）からそれぞれ延びることを特徴とする、請求項１から３までのいずれか一項に記載の肩装具。
【請求項５】
前記後方域（４）内の前記支持部分（２）が、前記ユーザの肩域に対する作用のための内側に位置決めされた取り外し可能な圧力パッド（１２）を装着するための手段（１１）があることを特徴とする、請求項１から４までのいずれか一項に記載の肩装具。
【請求項６】
前記ユーザの肩域に対する作用のための圧力パッド（１２）を含むことを特徴とする、請求項１から５までのいずれか一項に記載の肩装具。
【請求項７】
前記肩装具の主要部が、運動を促進する支持を伴った状態で運動の自由を得るために、弾性材料を含むことを特徴とする、請求項１から６までのいずれか一項に記載の肩装具。
【請求項８】
前記材料が、弾性の３Ｄ材料、弾性のネオプレン・ゴム、ＰＣＭ材料、ＰＣＭ発泡材料からなる群のいずれかであることを特徴とする、請求項７に記載の肩装具。
【発明の詳細な説明】
【技術分野】
【０００１】
本発明は、請求項１のプレアンブルに記載の肩装具に関する。
【背景技術】
【０００２】
そのような肩装具は、市場では知られており、肩の痛み及び肩領域における機能の低下などの兆候を有する患者を対象としている。
【０００３】
この装具の目的は、肩部分の緩和をもたらし、患者が運動能力を低下させることも懸念して腕の可動性を増大させることである。
【０００４】
従来知られている肩装具に関する１つの問題は、調整可能性が限定されてしまい、ユーザの運動の自由が減じてしまうことである。そのため、従来知られている肩装具は、上記で挙げた条件において、適切な支持及び緩和を完全には与えていない。
【０００５】
背景技術の例として、米国特許第５０２０５２１号及びＦＲ２０５３０Ｅ（１：ｒｅ  Ａｄｄｉｔｉｏｎ  ａｕ  Ｂｒｅｖｅｔ  ｄ’Ｉｎｖｅｎｔｉｏｎ  Ｎｏ：４８６５５２）を挙げることができる。これらの文献は、支持装置について記載しているが、これらの装置は、十分な柔軟性及び調整可能性があるわけではない。
【発明の概要】
【発明が解決しようとする課題】
【０００６】
本発明の目的は、最初に挙げた肩装具であって、背景技術による装置に関する問題が少なくとも減じられる肩装具を提供することである。
【課題を解決するための手段】
【０００７】
これは、請求項１の特徴を示す肩装具を用いて達成される。上腕カフを含むことにより、装具全体に対する安定性の増大が得られ、特に支持部分に関しては、それによって支持効果が増大する。
【０００８】
引っ張りバンドを介して上腕カフに連結された下腕カフを更に配置することにより、ユーザに対して運動の自由の増大が達成され、それと同時に腕に対して良好な支持が与えられる。支持部分及び上腕カフが一体ユニットであることにより、簡単な操作及び高度な安定性が達成される。少なくとも１つの調整可能な引っ張りバンドが支持部分と上腕カフの間に配置されていることにより、装具のこの部分においても有利な調整機能が可能になる。
【０００９】
胸バンド、下腕カフ、上腕カフ及び引っ張りバンドの少なくともいずれかが、調整可能であることが好ましい。これにより、単一ユーザに合わせた調整に対して良好な調整可能性が与えられる。
【００１０】
また、前記引っ張りバンドの数が、２つであり、良好な運動の自由及び腕の運動に影響を及ぼす可能性にとって、前方及び後方領域それぞれから始まることも好ましい。
【００１１】
更に、後方領域内の支持部分が、ユーザの肩部分に対する作用のための内側に位置決めされた取り外し可能な圧力パッドを置く手段を提供することが好ましい。
【００１２】
装具が、ユーザの肩領域に対する作用のための圧力パッドを含むことが好ましい。
【００１３】
さらなる特徴及び利点は、以下の実施例の説明によって明確にされる、本発明のさらなる特徴によって得られる。
【００１４】
次いで、実施例により、付属の図面を参照して本発明をより詳細に説明する。
【図面の簡単な説明】
【００１５】
【図１】本発明による肩装具を示す図である。
【図２ａ】図１の肩装具に連結して使用される圧力パッドを示す図である。
【図２ｂ】図１の肩装具に連結して使用される圧力パッドを示す図である。
【図３】ユーザへの本発明による肩装具の位置決めの順序を示す絵図である。
【図４】ユーザへの本発明による肩装具の位置決めの順序を示す絵図である。
【図５】ユーザへの本発明による肩装具の位置決めの順序を示す絵図である。
【図６】ユーザへの本発明による肩装具の位置決めの順序を示す絵図である。
【図７】ユーザへの本発明による肩装具の位置決めの順序を示す絵図である。
【発明を実施するための形態】
【００１６】
図１では、ユーザの肩領域に位置決めし、そこを取り囲むための支持部分２を含む肩装具１が、基板上に置かれている。支持部分２は、ユーザの肩関節の前方に位置決めされることが意図された前方域と、肩関節の後方に位置決めされることが意図され、背骨を越えて背中上を延びる後方領域４とを含む。
【００１７】
後方領域は、支持部分の主要部から先細になっており、ユーザの背中の幅の大部分にほぼ相当する長さを有する。
【００１８】
５は胸バンドを示し、この胸バンドは、使用中、第２の腕の腋窩下方でユーザの胸周りを胸バンド５が延びるように前方域３と後方域４の自由端を相互連結する。
【００１９】
胸バンドは、個々に適合した装着を容易に提供するために、ベルクロ（Ｖｅｌｃｒｏ）（ｃ）ファスナー装置を用いることによって締め付けることができる。
【００２０】
上腕カフ７は、支持部分２と一体化され、使用中、ユーザの上腕の一部に沿って延び、また、ベルクロ（Ｃ）ファスナー装置が設けられた締め付け手段を有する。図示する実例では、締め付け手段は、肩から離れるように向けられた上腕カフ７の自由部分において位置決めされる。
【００２１】
下腕カフは６で示される。上腕カフ７のように、下腕カフには、ユーザの下腕に対して締め付けられるのを目的として、調整可能手段が設けられる。上腕カフ７のように、下腕カフ６は、使用中、患者によって着用される位置において管状形状を有する。締め付け手段は、それぞれのカフをそれぞれの腕部分の周りに締め付けることを目的とする。
【００２２】
下腕カフ６は、原理上、それぞれのカフ上で互いに対して対角線上に配置された２つの引っ張りバンド上で上腕カフ７と相互連結される。引っ張りバンド８には、ベルクロ（Ｃ）ファスナー装置が設けられ、またこれは、それぞれのユーザに容易に適合させるように調整可能である。
【００２３】
９は、上腕カフ７の前側と支持部分の前方域の間で作用する引っ張りバンドを示している。図１には示していない対応する引っ張りバンドが、上腕カフ７の後方部分上に、その上部が支持部分の後方域にある状態で配置される（図５の要素９’を参照）。これらの引っ張りバンドにより、調整の微調節が可能になる。
【００２４】
安定化バンド１０は、装具の使用中、ユーザの肩の上方で前方領域と後方領域の間を延びる。
【００２５】
支持部分２の後方域の延長部分上には、圧力パッドと協働することが意図された繊維ヤードの自由設定ループを備えた内方向に向く部分（ｉｎｗａｒｄｌｙ  ｄｉｒｅｃｔｌｙ  ｐｏｒｔｉｏｎ）１１が配置される。図２ａ及び２ｂでは、そのような圧力パッド１２が示されており、この圧力パッド１２には、固定域１１内で前記自由設定ループと協働するためのベルクロ（Ｃ）ファスナー装置が後側１３上に設けられる。
【００２６】
パッド１２は、表面上に分布させたいくつかの圧力ボスを備えた接触表面を有する。図示するパッド１２上には、４つのそのような圧力ボスが配置され、これらの圧力ボスは、刺激を与える目的でユーザの肩部分に対して作用する機能を有する。特に、刺激は、患者の肩甲骨と背骨の間の衰えた筋肉に対するものである。
【００２７】
図３〜７は、ユーザに本発明による肩装具を位置決めするプロセスを示すことが意図されている。図３では、肩装具１は、ユーザの肩に着用されており、支持部分の初期位置はその使用位置よりも幾分下方にある状態である。破線Ａは、いわゆる関節の溝を示している。上腕カフにおける縫い目Ｂは、調整された位置、すなわち使用中、線Ａにほぼ沿っていなければならない。上腕カフ７は、ユーザの上腕の周りにベルクロバンドが設けられた重複する引っ張りバンドを用いることによって締め付けられる。
【００２８】
図４では、ユーザの胸の前側における胸バンド５の締め付け及び調整が示されている。
【００２９】
図５は、胸バンドの後方部分における締め付けの調整を示している。この調整及び関連する締め付けの構成は、任意選択である。
【００３０】
全体では、胸バンド５を引っ張ることにより、支持部分２が内方向及び上方向に引き上げられ、それによって上腕を含む肩部分全体が持ち上げられる結果となる。
【００３１】
図６では、図示した位置において、ユーザの下腕に締め付けられ、固定された下腕カフ６が示されている。更に、上腕カフ及び下腕カフそれぞれの各側における引っ張りバンド８の締め付けが示されている。この目的は、ユーザの下腕の高い可動性を維持しながら、肘関節及び下腕を制御する筋肉の緩和を得ることである。
【００３２】
図示する実例では２つの引っ張りバンドである引っ張りバンドを備えて構築することにより、下腕カフの位置を個々に調整する機会が極めて多くなることに留意されねばならない。引っ張りバンドの位置決めにより、実際には、上腕カフに対する下腕カフの回転位置が、下腕に対する所望のねじり効果を達成するような可能性を更にもたらす。通常、概して下腕カフの外方向の回転効果が望ましく、それによって支持部分及び肩に対する腕全体の外方向の回転効果が望ましい。
【００３３】
図７は、装具の最終調整を達成するための締め付けバンド９、９’の締め付けを示している。
【００３４】
３〜７の順序の図では、装具の装着が補助されているユーザが示されている。患者が重度の身体障害者である場合、これが通常の手順である。しかし、数多くの患者が、本発明による肩装具の位置決め及び取り外しを自身で操作できることは除外されない。
【００３５】
本発明は、特許請求の範囲内で改変することができる。したがって、締め付け機能を別の方法で、協働するベルクロ（Ｃ）ファスナー装置を備えたバンド、たとえベルクロ（Ｃ）ファスナー装置が本発明に関して好ましい場合でも、たとえば従来のバンド・バックルを備えたバンドによって達成することができる。しかし、本発明による装具が、全体的に個々のユーザに適合されることは除外されず、それによってそのような場合、調節機能の可能性に対する必要性を、上記で示した締め付け可能な個々の要素の１つ又は複数に関して除外することができる。
【００３６】
支持部分は、圧力パッドの固定域を有さずに構築することができ、支持部分の一体ユニットではない上腕カフを構成することも可能である。しかし、この解決策は、本発明に関しては好ましくない。装具は、下腕カフが連結されない状態で使用できることにも留意されねばならない。
【００３７】
肩装具の（バンドなどを除く）主要部は、運動を促進する装具に対する支持を伴った状態で所望の運動の自由を達成するために、適切な弾性材料から作製されねばならない。そのような材料は、たとえば、弾性のいわゆる３Ｄ材料又は弾性のネオプレン・ゴムでよく、支持部分並びに上腕カフ及び下腕カフの内側並びに外側では適切な柔軟性の繊維材料で積層することができる。たとえばＰＣＭ発泡材料などの弾性のＰＣＭ材料を含有する層（相変化材料）を、温度調節効果を可能にするために役立てることが好ましい。パッドは、数多くのさまざまな合成材料から製造されてよい。１つの例は、熱可塑性ポリウレタンである。
【００３８】
通常、縁に近接する、肩関節から最も遠いカフの内側では、カフと腕の部分の間を滑る傾向を減じるために、摩擦を増大させるシリコン・ゴムのストリップが配置されることが好ましい。
【図１】
2010534507.tif 000003
【図２ａ】
2010534507.tif 000004
【図２ｂ】
2010534507.tif 000005
【図３】
2010534507.tif 000006
【図４】
2010534507.tif 000007
【図５】
2010534507.tif 000008
【図６】
2010534507.tif 000009
【図７】
2010534507.tif 000010
【国際調査報告】
2010534507.tif 000011
2010534507.tif 000012
2010534507.tif 000013
2010534507.tif 000014